(57)【要約】【課題】物品を店頭などに陳列または展示するのに、物品の側に特別な部材を取り付ける必要がなく、また、物品の姿勢を自在に変えて支持することにより変化に富んだ物品の陳列や展示を可能とする。【解決手段】物品支持具は、縦向きの背板２と、背板２の前面に左右に間隔をあけて設けられる対をなす支持体３，４とを備える。各支持体３，４は、外周面が物品を支持するための支持面３０，４０を構成し、支持面３０，４０が背板２の前面位置から前方へ突き出ている。支持体３，４はカムにより構成され、背板３，４の前面より突出させた枢軸７，８に回動自由に支持されている。【選択図】図１
2017196016.tif 000002
【特許請求の範囲】
【請求項１】
物品を姿勢を変えて支持することが可能な物品支持具であって、縦向きの背板と、前記背板の前面に左右に間隔をあけて設けられる対をなす支持体とを備え、各支持体は、外周面が物品を支持するための支持面を構成し、前記支持面が背板の前面位置から前方へ突き出ており、前記支持体の少なくとも一方はカムにより構成され、背板の前面より突出させた枢軸に回動自由に支持されてなる物品支持具。
【請求項２】
前記対をなす支持体は、両方が同一形状のカムにより構成されている請求項１に記載の物品支持具。
【請求項３】
前記支持体は、正面視が長円形状をなすカムにより構成されており、中心位置から外れた位置が枢軸により支持されている請求項２に記載の物品支持具。
【請求項４】
前記支持体は、中心位置と中心位置から外れた位置とが前記枢軸により支持可能となっている請求項２または３に記載の物品支持具。
【請求項５】
前記背板は、ベース板上に傾斜状態で立設されている請求項１に記載に物品支持具。
【発明の詳細な説明】
【技術分野】
【０００１】
この発明は、物品を適当な高さ位置に支持するための物品支持具に関し、この発明は特に、店舗などにおいて、物品を店頭などに陳列したり展示したりするために、その物品を台上や壁面上に支持するのに用いられる物品支持具に関する。
【背景技術】
【０００２】
従来、携帯電話などの物品を店頭に陳列または展示するために、例えば、壁などに物品を縦向きの姿勢で支持する物品支持具が提案されている（例えば特許文献１参照）。特許文献１に記載の物品支持具は、物品の側に凸部を有する物品側部材を接着剤や両面テープなどで固定し、壁側に凹部を有する設置場所側部材を接着剤や両面テープなどで固定しており、凹部に凸部を係合させて設置場所側部材上に物品側部材を載せ、物品を支持するものである。
【０００３】
しかし、上記の物品支持具では、物品に物品側部材を取り付ける必要があり、物品が接着剤や粘着剤で汚されるおそれがある。また、物品は決められた姿勢で支持され、姿勢を変えて支持できないため、変化に富んだ物品の陳列や展示ができず、見栄えや表示効果に欠けるという問題がある。
【０００４】
物品の側に物品側部材を取り付ける必要がない物品支持具も提案されている（特許文献２参照）。特許文献２に記載の物品支持具は、壁面よりアームを突出させ、そのアームの先端部に設けられた取付具によりゴルフクラブなどの物品を支持するものである。
【先行技術文献】
【特許文献】
【０００５】
【特許文献１】特開２００７−２５２４３１号公報
【特許文献２】特開２０１１−１４７５９６号公報
【発明の概要】
【発明が解決しようとする課題】
【０００６】
しかし、上記した物品支持具も、物品は決められた姿勢で支持され、姿勢を変えて支持できないため、変化に富んだ物品の陳列や展示ができず、見栄えや表示効果に欠けるという問題がある。
【０００７】
この発明は、上記の問題に着目してなされたもので、物品を店頭などに陳列または展示するのに、物品の側に特別な部材を取り付ける必要がなく、また、物品の姿勢を自在に変えて支持することにより変化に富んだ物品の陳列や展示が可能な物品支持具を提供することを目的とする。
【課題を解決するための手段】
【０００８】
この発明による物品支持具は、物品を姿勢を変えて支持することが可能なものであり、縦向きの背板と、前記背板の前面に左右に間隔をあけて設けられる対をなす支持体とを備えている。各支持体は、外周面が物品を支持するための支持面を構成し、前記支持面が背板の前面位置から前方へ突き出ている。前記支持体の少なくとも一方はカムにより構成され、背板の前面より突出させた枢軸に回動自由に支持されている。
【０００９】
上記した物品支持具により物品を支持する場合、物品は左右の支持体の支持面の上を向く部分により支持される。カムにより構成された支持体を枢軸を中心として回動させると、枢軸から支持面までの距離が一定でないので、回動角度に応じて支持面の上を向く部分の高さが変化する。この高さ変化によって支持面の上を向く部分上に支持される物品の姿勢が変わり、変化に富んだ陳列や展示が可能となる。
【００１０】
この発明の好ましい実施態様においては、前記対をなす支持体は、両方が同一形状のカムにより構成されている。
【００１１】
この実施態様によると、両方の支持体において回動角度に応じて支持面の上を向く部分の高さが変化するので、その高さ変化によって支持面の上を向く部分上に支持される物品の姿勢が複雑に変わり、一層変化に富んだ陳列や展示が可能となる。
【００１２】
前記支持体として種々の形態のものが考えられるが、ひとつの形態は、正面視が長円形状をなすカムにより構成されており、中心位置から外れた位置が枢軸により支持されている。
【００１３】
さらに、前記支持体は、中心位置と中心位置から外れた位置とが前記枢軸により支持することが可能なものであってもよい。
【００１４】
この実施態様によると、枢軸による支持体の支持位置を選択できるもので、支持位置毎に枢軸から支持面までの距離が異なったものとなるので、支持面の上を向く部分の高さ変化がそれぞれ異なったものとなり、一層変化に富んだ陳列や展示が可能となる。
【００１５】
好ましい実施態様においては、前記背板は、ベース板上に傾斜状態で立設されるが、これに限らず、壁面上に設置するものであってもよい。
【発明の効果】
【００１６】
この発明によれば、物品を店頭などに陳列したり展示したりするのに、物品の側に特別な部材を取り付ける必要がないから、接着剤や粘着剤により物品を汚すおそれがない。また、物品の姿勢を自在に変えることができるので、変化に富んだ物品の陳列や展示が可能となる。
【図面の簡単な説明】
【００１７】
【図１】この発明の一実施例である物品支持具に物品が姿勢を変えて支持されている状態を示す正面図である。
【図２】この発明の一実施例である物品支持具の側面図である。
【図３】支持体の背板への取付構造を示す断面図である。
【図４】対をなす支持体を拡大して示す正面図である。
【図５】支持面の上を向く部分の高さが変化する状態を示す正面図である。
【図６】一方の支持体の支持位置を変更した状態を示す正面図である。
【図７】両方の支持体の支持位置を変更した状態を示す正面図である。
【図８】対をなす支持体の他の実施例を示す正面図である。
【図９】対をなす支持体のさらに他の実施例を示す正面図である。
【図１０】対をなす支持体のさらに他の実施例を示す正面図である。
【図１１】支持体の他の実施例を示す正面図である。
【図１２】この発明の他の実施例に係る物品支持具の部分を示す正面図である。
【発明を実施するための形態】
【００１８】
図１はこの発明の一実施例である物品支持具１の外観を示し、図１（１）（２）は物品支持具１に物品１０が姿勢を変えて支持されている状態を示している。
【００１９】
図示例の物品支持具１は、エアソフトガンやモデルガンなどを店頭に陳列したり展示したりするのに用いられるが、この物品支持具１は、その種の物品に限らず、その他の種々の物品を適当な高さ位置に支持することができるものである。
【００２０】
図１（１）は、物品１０のフレーム部分（左側）とグリップ部分（右側）を左右同じ高さ位置Ｒで支持した状態を示している。また、図１（２）は、物品１０のフレーム部分は高い位置Ｐで、物品１０のグリップ部分は低い位置Ｑで、それぞれ支持した状態を示している。
【００２１】
この実施例の物品支持具１は、図１および図２に示すように、ベース板５上に垂直または後方へわずかに傾斜した状態で縦設される背板２と、背板２の前面に左右に間隔をあけて設けられる対をなす支持体３，４とを備えている。ベース板５は平面形状が矩形状のものであるが、これに限らず、円形など種々の形態のものを採択できる。また、ベース板５は、上面がフラットな面であれば、必ずしも板状体である必要はない。図示例のベース板５、背板２、および支持体３，４は木製であるが、合成樹脂製や金属製であってもよい。
【００２２】
背板２は、下端面がベース板５の上面に接着剤により接合固定されている。また、背板２の後面は木製の支え板６により支えられている。支え板６は前端面が背板２の後面に、下端面がベース板５の上面に、それぞれ接着剤による接着されている。なお、各部材間は接着剤以外の接合、例えば、ネジや釘などを用いた接合であってもよい。
【００２３】
各支持体３，４は、図３および図４に示すように、外周面が物品１０を支持するための支持面３０，４０を構成している。物品１０は支持面３０，４０の上を向く部分３０ａ，４０ａにより支持される。各支持体３，４は後端面が背板２の前面に密接しており、支持面３０，４０が背板２の前面から前方へほぼ垂直に突き出ている。
【００２４】
支持体３，４の少なくとも一方、この実施例では対をなす両方の支持体３，４は同一形状のカムにより構成されており、背板２の前面より突出させた左右の各枢軸７，８にそれぞれ回動自由に支持されている。各枢軸７，８は、背板２の同じ高さ位置ｈ１，ｈ２（ｈ１＝ｈ２）に設けられている。この実施例の各支持体３，４は、正面視が長円形状をなすカムにより構成されており、図４においては、中心位置から長さ方向に沿って所定の距離外れた位置が枢軸７，８によりそれぞれ支持されている。
【００２５】
各支持体３，４の後面には、中心位置から外れた位置に第１の取付穴３１，４１が、また中心位置には第２の取付穴３２，４２が、それぞれ形成されている。第１の各取付穴３１，４１には内ネジ部３５，４５をそれぞれ有する金属製の第１のスリーブ３３，４３が、第２の各取付穴３２，４２には同様の内ネジ部３６，４６をそれぞれ有する金属製の第２のスリーブ３４，４４が、それぞれ埋設されている。
【００２６】
各枢軸７，８はネジ部材により構成され、背板２を貫通する左右の各貫通孔２１に枢軸７，８のネジ軸７０，８０が背板２の後面側より挿通されて背板２の前面へ突出させている。各ネジ軸７０，８０の突出部分は各支持体３，４の第１のスリーブ３３，４３の内ネジ部３５，４５にねじ込まれている。各枢軸７，８は基端部に頭部７１，８１を有し、頭部７１，８１に六角レンチ１００が係入可能な六角穴（図示せず）が設けられている。
【００２７】
図４は、各支持体３，４について、第１のスリーブ３３，４３の側に枢軸７，８のネジ軸７０，８０がそれぞれネジ込まれ、かつネジ軸７０，８０を六角レンチ１００を使って締め付けることにより各支持体３，４が縦向きであって下向きの姿勢に保持されている。各支持体３，４の外周面の支持面３０，４０は上を向く部分３０ａ，４０ａが同じ高さ位置Ｈ１，Ｈ２（Ｈ１＝Ｈ２）にあり、物品１０は各支持体３，４によって左右同じ高さ位置で支持される。
【００２８】
各支持体３，４は、枢軸７，８を中心として回動させて所定の角度位置に位置決めすることができるもので、この回動角度に応じて支持面３０，４０の上を向く部分３０ａ，４０ａの高さ位置が変化する。
【００２９】
図５において、Ｈ１−１は支持体３を縦向きであって下向きの姿勢に保持するか、または横向きの姿勢に保持したときの支持面３０の上を向く部分３０ａの高さ位置を示している。また、Ｈ１−２（ただしＨ１−２＞Ｈ１−１）は支持体３を斜め上向きの姿勢に保持したときの支持面３０の上を向く部分３０ａの高さ位置を示している。さらに、Ｈ１−３（ただしＨ１−３＞Ｈ１−２）は支持体３を縦向きであって上向きの姿勢に保持したときの支持面３０の上を向く部分３０ａの高さ位置を示している。
【００３０】
なお、この実施例の各支持体３，４は、長さｄ１が３３ｍｍ、幅ｄ２が１３ｍｍ、厚みが３４ｍｍの大きさのものであり、支持体３，４間の間隔Ｌは６８ｍｍに設定されているが、各支持体３，４の大きさおよび支持体３，４間の間隔Ｌはこれに限られるものではない。
【００３１】
図６では、一方の支持体３は第２のスリーブ３４の側に枢軸７がネジ込まれ、かつ縦向きの姿勢に保持され、他方の支持体４は第１のスリーブ４３の側に枢軸８がネジ込まれ、かつ縦向きであって下向きの姿勢に保持されている。
【００３２】
また、図７では、両方の支持体３，４が第２のスリーブ３４，４４にそれぞれ枢軸７，８がネジ込まれるとともに、縦向きの姿勢に保持されている。
【００３３】
なお、上記の実施例では、各枢軸７，８は同じ高さ位置ｈ１，ｈ２（ｈ１＝ｈ２）に設けられているが（図４，６，７）、図８に示す実施例のように、異なる高さ位置ｈ１，ｈ２（ｈ１≠ｈ２）に設けることもできる。
【００３４】
また、上記の各実施例では、各支持体３，４を正面視が長円形状のカムにより構成しているが、必ずしも長円形状に限られるものではない。さらに、図９および図１０に示す実施例のように、一方の支持体４のみをカムにより構成してもよい。いずれの実施例も他方の支持体３はカムでない円筒体により構成しており、図９の実施例では各枢軸７，８は同じ高さ位置ｈ１，ｈ２（ｈ１＝ｈ２）にあり、図１０の実施例では、各枢軸７，８は異なる高さ位置ｈ１，ｈ２（ｈ１≠ｈ２）にある。
【００３５】
また、上記の各実施例では、枢軸７，８は背板２に設けられた円形の貫通孔２１に挿入し、各支持体３，４間の間隔Ｌは一定であるが、図１１に示すように、貫通孔２１を横に長い形状にして各支持体３，４を横方向へ移動可能とすれば、各支持体３，４間の間隔Ｌを変更することができる。
【００３６】
上記した物品支持具１により物品１０を支持する場合、物品１０は左右の支持体３，４の支持面３０，４０の上を向く部分３０ａ，４０ａにより支持される。カムにより構成された支持体３，４を枢軸７，８を中心として回動させると、枢軸７，８から支持面３０，４０までの距離は一定でないから、回動角度に応じて支持面３０，４０の上を向く部分３０ａ，４０ａの高さが変化する（図５参照）。この高さ変化によって支持面３０，４０の上を向く部分３０ａ，４０ａ上に支持される物品１０の姿勢が変わり、変化に富んだ物品１０の陳列や展示が可能となる。
【００３７】
上記した物品支持具１は、背板２がベース板５上に縦設されたスタンドタイプのものであるが、図１２に示すように、背板２が壁面上に設置される構造のものであってもよい。また、対をなす支持体３，４は背板２の前面に複数対設けるようにしてもよい。
【符号の説明】
【００３８】
１    物品支持具
２    背板
３，４  支持体
５    ベース体
７，８  枢軸
３０，４０  支持面
【図１】
2017196016.tif 000003
【図２】
2017196016.tif 000004
【図３】
2017196016.tif 000005
【図４】
2017196016.tif 000006
【図５】
2017196016.tif 000007
【図６】
2017196016.tif 000008
【図７】
2017196016.tif 000009
【図８】
2017196016.tif 000010
【図９】
2017196016.tif 000011
【図１０】
2017196016.tif 000012
【図１１】
2017196016.tif 000013
【図１２】
2017196016.tif 000014